(57)【要約】【課題】ＴＶ受信装置をネットワークに接続した際にも、特定のＴＶ視聴者の受信装置に対してのみ専用コンテンツの配信が可能となり、容易にかつ正確に、しかも安全にアクセス情報を管理することができる受信システムを提供する。【解決手段】受信装置３からのインターネットへのアクセスに対して、受信装置３のＩＤ保持部１１に保持したＩＤと、受信装置３により受信され送信局２の放送番組を特定するために放送波に多重化された特定情報とを、サーバ１内の条件判定手段１６により、サーバ１との間で照合確認し、特定情報とＩＤを確認できた受信装置３に対してのみ、インターネット上のページアクセスを許可する。【選択図】    図１
2004179699.tif 000002
【特許請求の範囲】
【請求項１】
テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段とを備え、前記サーバは、前記インターネットを通じてアクセスしてきた前記受信装置から前記受信装置特定情報を受け取り判定する受信装置特定情報判定手段と、その判定結果に基づいて、前記受信装置特定情報判定手段が判定した受信装置特定情報を有する受信装置に対してのみ、その受信装置からのアクセスに応じた所定のコンテンツを配信するコンテンツ配信手段とを備えたことを特徴とする受信システム。
【請求項２】
請求項１に記載の受信システムであって、受信装置特定情報伝達手段は、サーバの公開鍵を用いて受信装置特定情報を暗号化して伝送するよう構成したことを特徴とする受信システム。
【請求項３】
テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段と、現在受信中の放送信号から現在受信している放送番組を特定する情報である放送番組特定情報を獲得する放送番組特定情報獲得手段と、前記放送番組特定情報獲得手段からの放送番組特定情報を読み取り、前記通信手段から、前記インターネットを通じて前記サーバに伝達する放送番組特定情報伝達手段とを備え、前記サーバは、前記インターネットを通じてアクセスしてきた前記受信装置から前記受信装置特定情報を受け取り判定する受信装置特定情報判定手段と、前記インターネットを通じてアクセスしてきた前記受信装置から前記放送番組特定情報を受け取り判定する放送番組特定情報判定手段と、前記受信装置特定情報判定手段と前記放送番組特定情報判定手段の判定結果に基づいて、前記受信装置特定情報判定手段が判定した受信装置特定情報、および前記放送番組特定情報判定手段が判定した放送番組特定情報を有する受信装置に対してのみ、その受信装置からのアクセスに応じた所定のコンテンツを配信するコンテンツ配信手段とを備えたことを特徴とする受信システム。
【請求項４】
テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段と、現在受信中の放送信号から現在受信している放送番組を特定する情報である放送番組特定情報を獲得し記憶する放送番組特定情報記憶手段と、前記放送番組特定情報記憶手段から放送番組特定情報を読み取り、前記通信手段から、前記インターネットを通じて前記サーバに伝達する放送番組特定情報伝達手段とを備え、前記サーバは、前記インターネットを通じてアクセスしてきた前記受信装置から前記受信装置特定情報を受け取り判定する受信装置特定情報判定手段と、前記インターネットを通じてアクセスしてきた前記受信装置から前記放送番組特定情報を受け取り判定する放送番組特定情報判定手段と、前記受信装置特定情報判定手段と前記放送番組特定情報判定手段の判定結果に基づいて、前記受信装置特定情報判定手段が判定した受信装置特定情報、および前記放送番組特定情報判定手段が判定した放送番組特定情報を有する受信装置に対してのみ、その受信装置からのアクセスに応じた所定のコンテンツを配信するコンテンツ配信手段とを備えたことを特徴とする受信システム。
【請求項５】
テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段と、現在受信中の放送信号から現在受信している放送番組を特定する情報である放送番組特定情報を獲得し保持する放送番組特定情報保持手段と、前記放送番組特定情報保持手段から放送番組特定情報を読み取り、前記通信手段から、前記インターネットを通じて前記サーバに伝達する放送番組特定情報伝達手段とを備え、前記サーバは、前記インターネットを通じてアクセスしてきた前記受信装置から前記受信装置特定情報を受け取り判定する受信装置特定情報判定手段と、前記インターネットを通じてアクセスしてきた前記受信装置から前記放送番組特定情報を受け取り、前記受信装置特定情報と関連させて記憶する放送番組特定情報記憶手段と、前記放送番組特定情報記憶手段からの前記放送番組特定情報を判定する放送番組特定情報判定手段と、前記受信装置特定情報判定手段と前記放送番組特定情報判定手段の判定結果に基づいて、前記受信装置特定情報判定手段が判定した受信装置特定情報、および前記放送番組特定情報判定手段が判定した放送番組特定情報を有する受信装置に対してのみ、その受信装置からのアクセスに応じた所定のコンテンツを配信するコンテンツ配信手段とを備えたことを特徴とする受信システム。
【請求項６】
テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段と、現在受信中の放送信号から現在受信している放送番組を特定する情報である放送番組特定情報を獲得し、前記放送番組の送信日時の情報と併せて記憶する放送番組特定情報記憶手段と、前記放送番組特定情報記憶手段から放送番組特定情報を読み取り、前記通信手段から、前記インターネットを通じて前記サーバに伝達する放送番組特定情報伝達手段とを備え、前記サーバは、前記インターネットを通じてアクセスしてきた前記受信装置から前記受信装置特定情報を受け取り判定する受信装置特定情報判定手段と、その判定結果に基づいて、前記受信装置特定情報判定手段が判定した受信装置特定情報を有する受信装置に対してのみ、その受信装置からのアクセスに応じた所定のコンテンツを配信するコンテンツ配信手段とを備えたことを特徴とする受信システム。
【請求項７】
請求項１から請求項６のいずれかに記載の受信システムであって、サーバのコンテンツ配信手段は、所定のコンテンツを、Ｂｒｏａｄｃａｓｔ  Ｍａｒｋｕｐ  Ｌａｎｇｕａｇｅで記載されたページに関連付け、前記ページにアクセスした受信機に対しコンテンツをダウンロードさせることによって、配信を行うよう構成したことを特徴とする受信システム。
【請求項８】
テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段とを備え、前記サーバは、前記受信装置の使用者の情報である受信装置使用者情報を登録・保持する使用者情報登録手段と、前記インターネットを通じてアクセスしてきた前記受信装置から前記受信装置特定情報を受け取り判定する受信装置特定情報判定手段と、前記受信装置の各使用者に対して電子メールアドレスを設定し、前記電子メールアドレスごとに送受信した電子メールを蓄積する電子メール蓄積手段と、前記受信装置特定情報判定手段の判定結果に基づいて、前記受信装置特定情報判定手段が判定した受信装置特定情報を有する受信装置の使用者に対してのみ、その受信装置により受信した電子メールへのアクセスを許可する制御手段とを備えたことを特徴とする受信システム。
【請求項９】
請求項８に記載の受信システムであって、外部から電子メール内容と前記電子メール内容の宛先条件が指定され、前記宛先条件と受信装置使用者情報とに基づいて、前記電子メール内容の宛先を決定する手段を設けたことを特徴とする受信システム。
【請求項１０】
請求項８に記載の受信システムであって、電子メール蓄積手段に蓄積された電子メール内容を、使用者がＷｅｂページ上で閲覧可能なようによう構成したことを特徴とする受信システム。
【請求項１１】
請求項８に記載の受信システムであって、各使用者が受信装置から送信する電子メールのうち、特定の宛先への電子メールに対し、所定の集計処理を施す集計手段を設け、前記集計手段の出力結果を、前記特定の宛先に対応した相手に伝えるよう構成したことを特徴とする受信システム。
【請求項１２】
テレビ放送信号を受信する受信装置がインターネットを通じてサーバに接続されてなる受信システムであって、前記受信装置に、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段とを備え、前記サーバは、前記受信装置の使用者の情報である受信装置使用者情報を登録・保持する使用者情報登録手段と、前記インターネットを通じてアクセスしてきた前記受信装置から前記受信装置特定情報を受け取り判定する受信装置特定情報判定手段と、前記各使用者が参加しているオークション内容を表示するＷｅｂページを構成するオークションページ構成手段と、前記電子メールアドレスごとに送受信した電子メールを蓄積する電子メール蓄積手段と、前記受信装置特定情報判定手段の判定結果に基づいて、前記使用者に前記オークション内容を表示するＷｅｂページへのアクセスを許可する制御手段とを備えたことを特徴とする受信システム。
【発明の詳細な説明】
【０００１】
【発明の属する技術分野】
本発明は、主にテレビ放送信号を受信してその放送信号から得られた情報をテレビ画面に表示する受信システムに関するものである。
【０００２】
【従来の技術】
従来から、受信システムとして、主にテレビ（ＴＶ）放送信号を受信してその放送信号から得られた情報をＴＶ画面に表示するものが利用されている。
【０００３】
一方、特に近年では、各方面で各種情報を取得したり発信したりすることを目的として、インターネットが広く利用されるようになっており、このようなインターネットへの接続は、現時点では殆どがパーソナルコンピュータ（ＰＣ）によるものであり受信システム内のＴＶとは連携しておらず、一部で、モニタとして、ＴＶ画面とＰＣ画面の両方を表示できるものが存在している。
【０００４】
しかし、この場合も、ＰＣ画面からはインターネットの情報を得ることができるが、ＴＶ画面上に表示している内容から、インターネットの情報を引き出せるものではない。
【０００５】
これに対し、例えば、ＴＶにＬＡＮやブラウザを搭載してインターネットに接続したサービス（例えば、特許文献１を参照）を行うことを想定すると、ＴＶ視聴している人のみにコンテンツを作成・配信することが考えられる。また、ユーザはそのコンテンツを目当てに受信装置を新規に購入したりサービスに加入したりする。
【０００６】
また、特定の番組をみた人だけがプレゼンテーション的にコンテンツを入手できるなどという制限を設けることにより、番組の視聴率を上げることも期待できる。
【０００７】
【特許文献１】
特許第３１６７１０９号
【０００８】
【発明が解決しようとする課題】
しかしながら上記のような従来の受信システムでは、ＴＶ視聴している人に対してのみ見てもらいたいコンテンツを作成しても、インターネット上にＨＴＭＬ形式で公開すると他のＰＣユーザからも見えてしまうため、インターネットに接続したＴＶを視聴している人のみが特典的にコンテンツを楽しめるというサービスを実現することが困難であるという問題点を有していた。
【０００９】
また、ＴＶ放送信号を受信するとともに、前述のようにインターネットに接続してそのサービスを受けられる受信装置を新規に購入したりサービスに加入しても、ソフトウェアを常にアップデートできたり、ウィルス対策ソフトをインストールできたりするＰＣとは異なり、ＴＶ受信装置では後からソフトウェアを追加することが困難であり、ネットワークに接続する際に、その安全性が十分に確保できず、ユーザにおいて安全面での危惧が存在するという問題点も有していた。
【００１０】
本発明は、上記従来の問題点を解決するもので、ＴＶ受信装置をネットワークに接続した際にも、特定のＴＶ視聴者の受信装置に対してのみ専用コンテンツの配信が可能となり、容易にかつ正確に、しかも安全にアクセス情報を管理することができる受信システムを提供する。
【００１１】
【課題を解決するための手段】
上記の課題を解決するために、本発明の請求項１に記載の受信システムは、テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段とを備え、前記サーバは、前記インターネットを通じてアクセスしてきた前記受信装置から前記受信装置特定情報を受け取り判定する受信装置特定情報判定手段と、その判定結果に基づいて、前記受信装置特定情報判定手段が判定した受信装置特定情報を有する受信装置に対してのみ、その受信装置からのアクセスに応じた所定のコンテンツを配信するコンテンツ配信手段とを備えた構成としたことを特徴とする。
【００１２】
また、本発明の請求項２に記載の受信システムは、請求項１に記載の受信システムであって、受信装置特定情報伝達手段は、サーバの公開鍵を用いて受信装置特定情報を暗号化して伝送するよう構成したことを特徴とする。
【００１３】
以上により、所定の受信装置特定情報で登録された受信装置に対してのみ、所定の番組の放送中に連動したコンテンツを送信することができる。
また、本発明の請求項３に記載の受信システムは、テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段と、現在受信中の放送信号から現在受信している放送番組を特定する情報である放送番組特定情報を獲得する放送番組特定情報獲得手段と、前記放送番組特定情報獲得手段からの放送番組特定情報を読み取り、前記通信手段から、前記インターネットを通じて前記サーバに伝達する放送番組特定情報伝達手段とを備え、前記サーバは、前記インターネットを通じてアクセスしてきた前記受信装置から前記受信装置特定情報を受け取り判定する受信装置特定情報判定手段と、前記インターネットを通じてアクセスしてきた前記受信装置から前記放送番組特定情報を受け取り判定する放送番組特定情報判定手段と、前記受信装置特定情報判定手段と前記放送番組特定情報判定手段の判定結果に基づいて、前記受信装置特定情報判定手段が判定した受信装置特定情報、および前記放送番組特定情報判定手段が判定した放送番組特定情報を有する受信装置に対してのみ、その受信装置からのアクセスに応じた所定のコンテンツを配信するコンテンツ配信手段とを備えた構成としたことを特徴とする。
【００１４】
以上により、所定の受信装置特定情報で登録された受信装置のうち、さらに所定の番組を受信していた受信装置に対してのみ、後日であっても番組に連動したコンテンツを送信することができる。
【００１５】
また、本発明の請求項４に記載の受信システムは、テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段と、現在受信中の放送信号から現在受信している放送番組を特定する情報である放送番組特定情報を獲得し記憶する放送番組特定情報記憶手段と、前記放送番組特定情報記憶手段から放送番組特定情報を読み取り、前記通信手段から、前記インターネットを通じて前記サーバに伝達する放送番組特定情報伝達手段とを備え、前記サーバは、前記インターネットを通じてアクセスしてきた前記受信装置から前記受信装置特定情報を受け取り判定する受信装置特定情報判定手段と、前記インターネットを通じてアクセスしてきた前記受信装置から前記放送番組特定情報を受け取り判定する放送番組特定情報判定手段と、前記受信装置特定情報判定手段と前記放送番組特定情報判定手段の判定結果に基づいて、前記受信装置特定情報判定手段が判定した受信装置特定情報、および前記放送番組特定情報判定手段が判定した放送番組特定情報を有する受信装置に対してのみ、その受信装置からのアクセスに応じた所定のコンテンツを配信するコンテンツ配信手段とを備えた構成としたことを特徴とする。
【００１６】
また、本発明の請求項５に記載の受信システムは、テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段と、現在受信中の放送信号から現在受信している放送番組を特定する情報である放送番組特定情報を獲得し保持する放送番組特定情報保持手段と、前記放送番組特定情報保持手段から放送番組特定情報を読み取り、前記通信手段から、前記インターネットを通じて前記サーバに伝達する放送番組特定情報伝達手段とを備え、前記サーバは、前記インターネットを通じてアクセスしてきた前記受信装置から前記受信装置特定情報を受け取り判定する受信装置特定情報判定手段と、前記インターネットを通じてアクセスしてきた前記受信装置から前記放送番組特定情報を受け取り、前記受信装置特定情報と関連させて記憶する放送番組特定情報記憶手段と、前記放送番組特定情報記憶手段からの前記放送番組特定情報を判定する放送番組特定情報判定手段と、前記受信装置特定情報判定手段と前記放送番組特定情報判定手段の判定結果に基づいて、前記受信装置特定情報判定手段が判定した受信装置特定情報、および前記放送番組特定情報判定手段が判定した放送番組特定情報を有する受信装置に対してのみ、その受信装置からのアクセスに応じた所定のコンテンツを配信するコンテンツ配信手段とを備えた構成としたことを特徴とする。
【００１７】
また、本発明の請求項６に記載の受信システムは、テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段と、現在受信中の放送信号から現在受信している放送番組を特定する情報である放送番組特定情報を獲得し、前記放送番組の送信日時の情報と併せて記憶する放送番組特定情報記憶手段と、前記放送番組特定情報記憶手段から放送番組特定情報を読み取り、前記通信手段から、前記インターネットを通じて前記サーバに伝達する放送番組特定情報伝達手段とを備え、前記サーバは、前記インターネットを通じてアクセスしてきた前記受信装置から前記受信装置特定情報を受け取り判定する受信装置特定情報判定手段と、その判定結果に基づいて、前記受信装置特定情報判定手段が判定した受信装置特定情報を有する受信装置に対してのみ、その受信装置からのアクセスに応じた所定のコンテンツを配信するコンテンツ配信手段とを備えた構成としたことを特徴とする。
【００１８】
以上により、所定の受信装置特定情報で登録された受信装置で、かつ所定の一連の番組、例えば数回のシリーズに分けて放送した番組を全て受信した受信装置に対してのみ、その番組に連動したコンテンツを送信することができる。
【００１９】
また、本発明の請求項７に記載の受信システムは、請求項１から請求項６のいずれかに記載の受信システムであって、サーバのコンテンツ配信手段は、所定のコンテンツを、ＢＭＬ（Ｂｒｏａｄｃａｓｔ  Ｍａｒｋｕｐ  Ｌａｎｇｕａｇｅ）で記載されたページに関連付け、前記ページにアクセスした受信機に対しコンテンツをダウンロードさせることによって、配信を行うよう構成したことを特徴とする。
【００２０】
以上により、ＢＭＬを表示するとともにハードウェアと連係してダウンロードを行う機能はＰＣに無いので、インターネット上にあるコンテンツであり、かつ受信装置特定情報により制限する機構が無くても、ＰＣからは容易にアクセスできないようにし、加えて受信装置特定情報により制限する機構を設けることによりコンテンツの保護をより強固にすることができる。
【００２１】
また、本発明の請求項８に記載の受信システムは、テレビ放送信号を受信する受信装置がインターネットを通じてサーバに接続されてなる受信システムであって、前記受信装置は、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段とを備え、前記サーバは、前記受信装置の使用者の情報である受信装置使用者情報を登録・保持する使用者情報登録手段と、前記インターネットを通じてアクセスしてきた前記受信装置から前記受信装置特定情報を受け取り判定する受信装置特定情報判定手段と、前記受信装置の各使用者に対して電子メールアドレスを設定し、前記電子メールアドレスごとに送受信した電子メールを蓄積する電子メール蓄積手段と、前記受信装置特定情報判定手段の判定結果に基づいて、前記受信装置特定情報判定手段が判定した受信装置特定情報を有する受信装置の使用者に対してのみ、その受信装置により受信した電子メールへのアクセスを許可する制御手段とを備えた構成としたことを特徴とする。
【００２２】
また、本発明の請求項９に記載の受信システムは、請求項８に記載の受信システムであって、外部から電子メール内容と前記電子メール内容の宛先条件が指定され、前記宛先条件と受信装置使用者情報とに基づいて、前記電子メール内容の宛先を決定する手段を設けた構成としたことを特徴とする。
【００２３】
以上により、ユーザ情報がサーバ外に漏れることを防止することができる。
また、本発明の請求項１０に記載の受信システムは、請求項８に記載の受信システムであって、電子メール蓄積手段に蓄積された電子メール内容を、使用者がＷｅｂページ上で閲覧可能なように構成したことを特徴とする。
【００２４】
また、本発明の請求項１１に記載の受信システムは、請求項８に記載の受信システムであって、各使用者が受信装置から送信する電子メールのうち、特定の宛先への電子メールに対し、所定の集計処理を施す集計手段を設け、前記集計手段の出力結果を、前記特定の宛先に対応した相手に伝えるよう構成したことを特徴とする。
【００２５】
以上により、ユーザ情報がサーバ外に漏れることなく、アンケート結果のみを得たり、それに対して応答したりすることができる。
また、本発明の請求項１２に記載の受信システムは、テレビ放送信号を受信する受信装置がインターネットを通じてサーバに接続されてなる受信システムであって、前記受信装置に、前記インターネットに接続して前記サーバにアクセスし、前記サーバとの間で通信する通信手段と、前記受信装置が個々に有する固有の受信装置特定情報を保持する受信装置特定情報保持手段と、前記受信装置特定情報保持手段から前記受信装置特定情報を読み取り、前記通信手段から、前記インターネットを通じて前記サーバに伝達する受信装置特定情報伝達手段とを備え、前記サーバは、前記受信装置の使用者の情報である受信装置使用者情報を登録・保持する使用者情報登録手段と、前記インターネットを通じてアクセスしてきた前記受信装置から前記受信装置特定情報を受け取り判定する受信装置特定情報判定手段と、前記各使用者が参加しているオークション内容を表示するＷｅｂページを構成するオークションページ構成手段と、前記電子メールアドレスごとに送受信した電子メールを蓄積する電子メール蓄積手段と、前記受信装置特定情報判定手段の判定結果に基づいて、前記使用者に前記オークション内容を表示するＷｅｂページへのアクセスを許可する制御手段とを備えた構成としたことを特徴とする。
【００２６】
以上により、オークションの情報はサーバのみが持ち、プライバシーを保護しつつ、詐欺対策を同時に満たすことができる。
【００２７】
【発明の実施の形態】
以下、本発明の実施の形態を示す受信システムについて、図面を参照しながら具体的に説明する。
（実施の形態１）
本発明の実施の形態１の受信システムを説明する。
【００２８】
図１は本実施の形態１の受信システムを含む放送システムの構成を示すブロック図である。以降、同一部分は同一符号を付している。本実施の形態の放送システムは、プロバイダ内に設置されたサーバ１およびテレビ放送信号を受信する受信装置３からなる受信システムと、テレビ放送信号を送信する送信局２とを含んで構成される。なお、受信装置３はインターネットを通じてサーバ１に接続されている。
【００２９】
受信装置３は、外部からの放送、例えば、送信局２から送信されたＭＰＥＧ２で圧縮されたデジタル放送信号を受信するものであり、図１に示すように、少なくとも、受信復調部５、デマルチプレクサ６、音声デコーダ７、映像デコーダ８、表示画面合成部１２、情報テーブル抽出部１０を有し、これは従来のデジタル放送受信装置と同様である。
【００３０】
本実施の形態では、上記の構成要素に加えて、インターネットインターフェース（インターネットＩＦ）１４、ＩＤ保持部１１、選択されたＵＲＬアドレスのホームページ画面を表示するブラウザ４を有している。また、コントローラ１３、リモコン受信部１８は、従来のデジタル放送受信装置に加えて上記の追加構成を扱うための機能を持つ。
【００３１】
ＩＤ保持部１１はＴＶ受信装置１台ごとに固有のＩＤ情報を保持している。このＩＤ情報は、工場出荷時に予め固有となるようにＥＰＲＯＭなどに記録しておいても良いし、ユーザ登録時にソフトウェアによって装置内に保持しても良い。
【００３２】
ブラウザ４は、通常のブラウズ機能に加え、ＩＤ保持部１１からＩＤ情報を獲得する機能を持つ。さらにＷｅｂページの所定の記述に反応して獲得したＩＤ情報をサーバに伝える機能を持つ。このＩＤ情報は、受信装置内や受信装置に付属された他のハード・ソフトからは読み出せないように、認証機能を設けるなど制限しておく。また、ブラウザ４も、読み出したＩＤ情報を特定のメモリ領域に記憶して、他のハード・ソフトから読み出せるということがないように、配慮して構成する。
【００３３】
プロバイダ内のサーバ１の蓄積手段１７に蓄積されている所定のコンテンツをダウンロードするためのＷｅｂページには、対応している装置に対してのみ対応する所定のタグやスクリプトが記載してある。
【００３４】
ブラウザ４は、所定のコンテンツダウンロード用Ｗｅｂページにアクセスして、対応する所定のタグやスクリプトを読み込むと、ＩＤ保持部１１からＩＤ情報を獲得する。さらに所定の方式でプロバイダ内のサーバ１の条件判定手段１６に獲得したＩＤ情報を伝え、コンテンツのダウンロード権あるいはコンテンツの暗号化を解く鍵を入手する。例えば、プロバイダ内のサーバ１の条件判定手段１６に、暗号化したコンテンツとその暗号鍵、さらにはサーバの秘密鍵／公開鍵の組を保持する。
【００３５】
まず、サーバ１は、インターネットを通じてアクセスしてきた受信装置３に、秘密鍵で暗号化した第１の乱数を送る。受け取った受信装置３は、コントローラ１３によって、内部に保持したサーバの公開鍵で暗号化を解くことにより、第１の乱数を入手し、ＩＤ情報および生成した第２の乱数を第１の乱数で暗号化してサーバ１に返信する。プロバイダ内のサーバ１の条件判定手段１６は、受信装置３のＩＤ情報を受け取り確認すると、第１および第２の乱数を基に、所定の方法で生成した鍵をコンテンツ暗号鍵として用いて、コンテンツを暗号化して受信装置３にダウンロードさせる。ダウンロードの方式そのものは、ＦＴＰなど既存の方式で構わない。
【００３６】
以上のように本実施の形態によれば、所定のＩＤ情報で登録された受信装置に対してのみ、コンテンツを送信することが可能となる。この際には、ＩＤ情報は、各機器に固有のものであり、所定の方式でのみ読み出され伝送されるので、他のＰＣなどで同じＩＤ情報の機器になりすますことはできない。
【００３７】
ＩＤ情報やユーザ情報はプロバイダのサーバ１のみで管理され、スポンサー・送信局などは直接ユーザ情報を持たないため、個人情報流出を防ぐことができる。
【００３８】
なお、インターネットＩＦ１４は、ＬＡＮアダプタやモデムなど、インターネットに接続する手段であれば内容は問わない。また、データを暗号化してダウンロードさせるとしたが、所定の方法でＩＤ情報を伝えてこない受信装置３からのアクセスをサーバ１が拒絶するなどの、より簡便な方法でも構わない。また、第１および第２の乱数から所定の方法で生成した鍵をコンテンツ暗号鍵として用いるとしたが、コンテンツ暗号化鍵を上記のように生成した鍵で暗号化して受信装置３に伝えるなど、受信装置３を制限できるものであれば、他の方法を用いても構わない。
【００３９】
ＰＣから扱えない所定のタグやスクリプトの例として、通常のＨＴＭＬで書かれたページから、ＢＭＬ（Ｂｒｏａｄｃａｓｔ  Ｍａｒｋｕｐ  Ｌａｎｇｕａｇｅ）にて記述したコンテンツダウンロード用Ｗｅｂページにリンクを張り、コンテンツダウンロード時のみ、ＢＭＬで規定されたスクリプト記述に従ってダウンロードを行うという方法がある。
【００４０】
これにより、ＢＭＬを表示するとともにハードウェアと連係してダウンロードを行う機能はＰＣに無いので、インターネット上にあるコンテンツであり、かつＩＤ情報により制限する機構が無くても、ＰＣからは容易にアクセスできないようにし、加えてＩＤ情報により制限する機構を設けることによりコンテンツの保護をより強固にすることが可能となる。
【００４１】
以上のように本実施の形態によれば、所定のＩＤで登録された受信装置に対してのみ、所定の番組の放送中に、その番組に連動したコンテンツを送信することが可能となる。
（実施の形態２）
本発明の実施の形態２の受信システムを説明する。
【００４２】
図２は本実施の形態２の受信システムを含む放送システムの構成を示すブロック図である。以降、同一部分は同一符号を付している。本実施の形態の放送システムは、プロバイダ内に設置されたサーバ１ａおよびテレビ放送信号を受信する受信装置３ａからなる受信システムと、テレビ放送信号を送信する送信局２ａとを含んで構成される。なお、受信装置３ａはインターネットを通じてサーバ１ａに接続されている。
【００４３】
受信装置３ａは、図２に示すように、コントローラ１３ａ（実施の形態１に対して追加機能を保有）を有する。プロバイダ内のサーバ１ａは、送信局２ａとの事前の連絡によって、番組情報として、所定の番組の放送時刻を得ると同時に、所定の番組を判別するための番組特定コード情報を入手する。また、プロバイダのサーバ１ａは、蓄積手段１７に送信局２ａと事前連絡している所定の番組に連動したコンテンツを蓄積しているものとする。
【００４４】
また、送信局２ａは、所定の番組を指定時刻に放送する。放送データ中には、番組情報として、情報テーブルの形式で番組特定コード情報が多重化されると同時に、番組に連動したＷｅｂページのＵＲＬアドレスも、情報テーブルの形式で放送データ中に多重化されているとする。
【００４５】
受信装置３ａは、所定の番組を受信し、映像デコーダ８によりデコードしてモニタに画面表示する。コントローラ１３ａは、情報テーブル抽出部１０によって抽出された情報テーブルから、番組に連動したＷｅｂページのＵＲＬアドレスを獲得して、そのページにアクセスする。
【００４６】
プロバイダ内のサーバ１ａは、送信局２ａに対して、所定の番組が実際に放送中であることを確認する。この確認方法としては、送信局２ａとの交信や実際の視聴によるチェックなど方法は問わない。プロバイダ内のサーバ１ａは、番組視聴者だけに見せたいＷｅｂページを用意し、そのページに対して各受信装置３ａからアクセスされると、実施の形態１と同様に、受信装置３ａ中のＩＤ保持部１１およびサーバ１ａ中の条件判定手段１６とのやりとりにより、各受信装置３ａを特定する。受信装置３ａのＩＤを特定できなかった場合には、それらからのアクセスを拒否する。
【００４７】
プロバイダ内のサーバ１ａは、番組に連動したＷｅｂページのＵＲＬアドレスを、その放送時間内だけ有効なアドレスにしておけば、アクセスしてくるのは放送を現在受けている正規な受信装置３ａと限定できる。プロバイダ内のサーバ１ａは、送信局２ａとの交信（放送は問わない）によって、送信局２ａが対象とする番組を放送中であることを確認し、上記の条件のもとでのみ、番組視聴と連動したコンテンツを配信する。
【００４８】
以上のように本実施の形態によれば、所定のＩＤで登録された受信装置に対してのみ、所定の番組の放送中に、その番組に連動したコンテンツを送信することが可能となる。
（実施の形態３）
本発明の実施の形態３の受信システムを説明する。
【００４９】
図３は本実施の形態３の受信システムを含む放送システムの構成を示すブロック図である。以降、同一部分は同一符号を付している。本実施の形態の放送システムは、プロバイダ内に設置されたサーバ１ｂおよびテレビ放送信号を受信する受信装置３ｂからなる受信システムと、テレビ放送信号を送信する送信局２ｂとを含んで構成される。なお、受信装置３ｂはインターネットを通じてサーバ１ｂに接続されている。
【００５０】
本実施の形態では、図２の構成に加えて、受信装置３ｂに番組特定情報獲得手段３１を有している。プロバイダ内のサーバ１ｂは、送信局２ｂとの事前の連絡によって所定の番組の放送時刻を得る。同時に所定の番組を判別するための番組特定コード情報を入手する。また、プロバイダのサーバ１ｂの蓄積手段１７には、所定の番組に連動したコンテンツを蓄積しているものとする。
【００５１】
送信局２ｂは、所定の放送を指定時刻に放送する。その放送データ中には、情報テーブルの形式で番組特定コードが多重化されていると同時に、番組情報として、番組に連動したＷｅｂページのＵＲＬアドレスも、情報テーブルの形式で放送データ中に多重化されているとする。
【００５２】
受信装置３ｂは、所定の番組を受信し、映像デコーダ８によりデコードしてモニタに画面表示する。番組特定情報獲得手段３１は、情報テーブル抽出部１０によって抽出された情報テーブルから、番組特定コードを獲得する。また同時に、コントローラ１３ｂは、情報テーブルから番組に連動したＷｅｂページのＵＲＬアドレスを獲得して、インターネットＩＦ１４およびブラウザ４を用いて、そのページにアクセスする。
【００５３】
プロバイダ内のサーバ１ｂは、送信局２ｂに対して、所定の番組が実際に放送中であること、または放送されたこと、あるいは放送時刻などの予定変更を確認する。この確認方法としては、送信局２ｂとの交信や実際の視聴によるチェックなど、それらの方法は問わない。
【００５４】
プロバイダ内のサーバ１ｂは、番組視聴者だけに見せたいＷｅｂページを蓄積手段１７中に用意し、そのページにアクセスされると、実施の形態２と同様に、受信装置３ｂ中のＩＤ保持部１１および条件判定手段１６ｂとのやりとりにより、各受信装置３ｂを特定し、加えて、所定のＷｅｂページにアクセスしてきた受信装置３ｂに対し、番組特定情報獲得手段３１に保持された番組特定コードを要求する。
【００５５】
この要求に対して、プロバイダ内のサーバ１ｂは、受信装置３ｂから番組特定コードを受信し、条件判定手段１６ｂにより、受信した番組特定コードとサーバ１ｂに登録されている番組特定コードが一致すると判定されると、その受信装置３ｂが所定の番組を視聴したものとして、番組連動コンテンツのデータを受信装置３ｂにダウンロードさせる。所定の形式で番組特定情報を返信してこない受信装置３ｂには、コンテンツデータを正しく送らない。上記操作は番組放送中でも、後日であっても、同様に機能する。番組特定コードの送り方は任意であり、予め定められた方法であっても、アクセスのたびに変化しても構わない。
【００５６】
以上のように本実施の形態によれば、所定のＩＤで登録された受信装置のうち、さらに所定の番組を受信していた受信装置に対してのみ、後日であっても番組に連動したコンテンツを送信することが可能となる。
（実施の形態４）
本発明の実施の形態４の受信システムを説明する。
【００５７】
図４は本実施の形態４の受信システムを含む放送システムの構成を示すブロック図である。以降、同一部分は同一符号を付している。本実施の形態の放送システムは、プロバイダ内に設置されたサーバ１ｃおよびテレビ放送信号を受信する受信装置３ｃからなる受信システムと、テレビ放送信号を送信する送信局２ｃとを含んで構成される。なお、受信装置３ｃはインターネットを通じてサーバ１ｃに接続されている。
【００５８】
受信装置３ｃは、実施の形態３のものに加えて受信履歴記憶手段４２を有し、プロバイダ内のサーバ１ｃは、実施の形態３のものに加えて受信装置記憶確認手段４１を有する。また、送信局２ｃは、所定の放送を指定時刻に放送する。放送データ中には、情報テーブルの形式で番組特定コードが多重化されていると同時に、番組情報として、連動したＷｅｂぺージのＵＲＬアドレスも、情報テーブルの形式で放送データ中に多重化されているものとする。
【００５９】
受信装置３ｃは、所定の番組を受信し、映像デコーダ８によりデコードしてモニタに画面表示する。番組特定情報獲得手段３１は、情報テーブル抽出部１０によって抽出された情報テーブルから番組特定コードを獲得する。また同時に、コントローラ１３ｃは、情報テーブルから番組に連動したＷｅｂページのＵＲＬアドレスを獲得して、そのページに、インターネットＩＦ１４およびブラウザ４を用いてアクセスする。受信装置３ｃは、獲得した番組特定コードとＵＲＬアドレス、および放送日時を、受信履歴記憶手段４２に記憶する。
【００６０】
プロバイダ内のサーバ１ｃは、番組視聴者だけに見せたいＷｅｂページを蓄積手段１７中に用意し、そのページに受信装置からアクセスされると、実施の形態２と同様に、受信装置３ｃ中のＩＤ保持部１１および条件判定手段１６ｃとのやりとりにより、各受信装置を特定し、加えて、所定のＷｅｂページにアクセスしてきた受信装置３ｃに対し、受信履歴記憶手段４２に保持されたそれまでに受信した複数の番組の番組特定コードや放送日時等の情報を要求する。
【００６１】
この要求に対して受信装置３ｃから複数の番組の番組特定コードや放送日時等の番組情報が出力され、プロバイダ内のサーバ１ｃは、これら受信装置３ｃからの各種情報を受信し、条件判定手段１６ｃにより、受信した番組特定コードおよび番組情報とサーバ１ｃに登録されている番組特定コードおよび番組情報が一致すると判定すると、受信装置記憶確認手段４１によってその情報を照合し、その受信装置３ｃが所定の一連の番組を視聴したものとして、その番組に対応するコンテンツデータをダウンロードさせる。
【００６２】
以上のように本実施の形態によれば、所定のＩＤで登録された受信装置で、かつ所定の一連の番組、例えば数回のシリーズに分けて放送した番組を全て受信した受信装置に対してのみ、その番組に連動したコンテンツを送信することが可能となる。
（実施の形態５）
本発明の実施の形態５の受信システムを説明する。
【００６３】
図５は本実施の形態５の受信システムを含む放送システムの構成を示すブロック図である。以降、同一部分は同一符号を付している。本実施の形態の放送システムは、プロバイダ内に設置されたサーバ１ｄおよびテレビ放送信号を受信する受信装置３ｄからなる受信システムと、テレビ放送信号を送信する送信局２ｄとを含んで構成される。なお、受信装置３ｄはインターネットを通じてサーバ１ｄに接続されている。構成は図４と同様であるが、受信履歴記憶手段４２ｄ、受信装置記憶確認手段４１ｄの機能が異なる。
【００６４】
受信装置３ｄは、所定の番組を受信し、映像デコーダ８によりデコードしてモニタに画面表示する。番組特定情報獲得手段３２は、情報テーブル抽出部１０によって抽出された情報テーブルから、番組特定コードを獲得する。また同時に、コントローラ１３ｄは、情報テーブルから番組に連動したＷｅｂページのＵＲＬアドレスを獲得して、インターネットＩＦ１４およびブラウザ４を通じて、そのページにアクセスする。受信装置３ｄは、獲得した番組特定コードとＵＲＬアドレス、および放送日時を、受信履歴記憶手段４２ｄに記憶する。
【００６５】
プロバイダ内のサーバ１ｄは、番組視聴者だけに見せたいＷｅｂページを蓄積手段１７中に用意し、そのページに受信装置３ｄからアクセスされると、実施の形態２と同様に、受信装置３ｄ中のＩＤ保持部１１および条件判定手段１６ｄとのやりとりにより、各受信装置３ｄを特定し、加えて、所定のＷｅｂページにアクセスしてきた受信装置３ｄに対し、受信履歴記憶手段４２ｄに保持された番組の番組特定コードや放送日時等の情報を要求する。
【００６６】
プロバイダ内のサーバ１ｄは、この要求に対して受信装置３ｄから伝送された番組特定コードや放送日時等の情報を受信すると、それらの情報と受信装置３ｄのＩＤと併せて受信装置記憶確認手段４１ｄに記憶する。さらに、受信装置記憶確認手段４１ｄは、内部に既に記憶されている同じＩＤの受信装置３ｄから、以前に送られた番組特定コードなどの情報とを照合することにより、その受信装置３ｄが所定の一連の番組を視聴したか否かを判定し、視聴したと判定された場合には、コンテンツデータを受信装置３ｄにダウンロードさせる。
【００６７】
以上のように本実施の形態によれば、所定のＩＤで登録された受信装置で、かつ所定の一連の番組、例えば数回のシリーズに分けて放送した番組を全て受信した受信装置に対してのみ、その番組に連動したコンテンツを送信することが可能となる。
（実施の形態６）
本発明の実施の形態６の受信システムを説明する。
【００６８】
図６は本実施の形態６の受信システムを含む電子メールシステムの構成を示すブロック図である。以降、同一部分は同一符号を付している。本実施の形態の電子メールシステムは、プロバイダ内に設置されたサーバ１ｅおよびテレビ放送信号を受信する受信装置３からなる受信システムと、テレビ放送信号を送信する送信局２とを含んで構成される。なお、受信装置３はインターネットを通じてサーバ１ｅに接続されている。なお、ユーザは受信装置購入時に年齢・性別・地域などのユーザ情報をプロバイダ内のサーバ１ｅに登録する。
【００６９】
プロバイダ内のサーバ１ｅは、受信装置３ごとのユーザ情報を、各受信装置３のＩＤと併せてユーザ情報登録手段６１に蓄積するとともに、Ｗｅｂメールサーバ用の蓄積手段６３を用意し、各受信装置３のユーザに受信装置３用の電子メールアドレスを付与する。このアドレスは外部には公開しない。この電子メールは対応した受信装置３に対してのみ送られるため、ユーザ自身も電子メールアドレスとしては直接意識しない。
【００７０】
スポンサーは、送りたい電子メール内容を用意し、狙いたいユーザ層の条件がある場合には、それを送信条件として、電子メール内容と併せてプロバイダ内のサーバ１ｅに連絡する。
【００７１】
プロバイダ内のサーバ１ｅは、ユーザ条件判定手段６２を用い、ユーザ情報登録手段６１に蓄積されたユーザ条件のうちスポンサーからの依頼に合致するものを検索し、スポンサーからの電子メール内容を送信する受信装置３を選び、電子メールをＷｅｂメールサーバ６３上に置く。この電子メールの実体は、一つで複数ユーザからの参照情報（未読、既読、削除など）を管理しても良いし、またメールサーバ６３に各ユーザのスプーラを設置し、電子メールの実体を各ユーザのスプーラに置いても良い。
【００７２】
ユーザは、受信装置３のブラウザ４からサーバ１ｅの持つＷｅｂメーラ用のＷｅｂページにアクセスすることにより、ユーザがあらかじめ登録したメールアドレスに届いた電子メールを読む。受信装置３上に記憶する必要は無い。必要に応じて受信装置３の備えるメモリカードなどの記憶装置にダウンロードしても良い。
【００７３】
外出先の家族から家に伝言するなど、外部から特定の受信装置に対してのみ、送信・返信したい場合に対応するために、プロバイダ内のサーバ１ｅは、受信装置３のＩＤ・電子メールアドレスに直接関係しないユーザＩＤを設定し、ユーザに知らせる。ユーザはユーザＩＤとパスワード入力により、受信装置３以外のブラウザからもＷｅｂメールシステムに入れるようにする。
（実施の形態７）
本発明の実施の形態７の受信システムを説明する。
【００７４】
図７は本実施の形態７の受信システムを含む電子メールシステムの構成を示すブロック図である。以降、同一部分は同一符号を付している。本実施の形態の電子メールシステムは、プロバイダ内に設置されたサーバ１ｆおよびテレビ放送信号を受信する受信装置３ｆからなる受信システムと、テレビ放送信号を送信する送信局２とを含んで構成される。なお、受信装置３ｆはインターネットを通じてサーバ１ｆに接続されている。
【００７５】
実施の形態６と同様に、ユーザが、受信装置３ｆの購入時に年齢・性別・地域などのユーザ情報を、プロバイダ内のサーバ１ｆに登録することにより、プロバイダ内のサーバ１ｆは、受信装置３ｆごとのユーザ情報を各受信装置３ｆのＩＤと併せて、ユーザ情報登録手段６１に保持する。プロバイダ内のサーバ１ｆは、Ｗｅｂメールサーバ用の蓄積手段６３を用意し、ユーザに受信装置３ｆ用の電子メールアドレスを付与する。スポンサーは、送りたいアンケート内容を用意し、狙いたいユーザ層の条件がある場合には、それを送信条件とし、アンケート内容の電子メールと併せてプロバイダ内のサーバ１ｆに連絡する。
【００７６】
プロバイダ内のサーバ１ｆは、ユーザ条件判定手段６２を用い、ユーザ情報登録手段６１に蓄積されたユーザ条件のうちスポンサーからの依頼に合致するものを検索し、スポンサーからのアンケート内容を送信する受信装置３ｆを選び、アンケート内容の電子メールをＷｅｂメールサーバ６３上に置く。ユーザが記入し返信したアンケート結果は、プロバイダ内のサーバ１ｆのＷｅｂメールサーバ６３上で一旦集められる。個人情報流出を防ぐために、スポンサーには、結果集計手段７１により集計した結果のみを伝えるようにする。
【００７７】
集計結果のみをスポンサーに伝えるようにするとしたが、個人情報や電子メールアドレスを隠した形でＷｅｂページ上に結果一覧を表示し、スポンサーのみに結果一覧のＵＲＬを伝えて結果を見られるようにしてもよい。このようにすると、スポンサーは表示された一覧のうち特定のユーザに対して、ユーザからの質問に答えたり、景品等の当選者の連絡など、スポンサーから電子メールを送信したりできる。
【００７８】
ユーザ情報は、Ｗｅｂページ上で選択するため、プロバイダ内のサーバ１ｆの外に漏れることなく、スポンサーが電子メールアドレスを知らずに特定ユーザに返信できる。またスポンサーがＷｅｂページ一覧のアンケート応募者全員に連絡したい場合も、プロバイダ内のサーバ１ｆに電子メール送信を依頼する。また、その一覧Ｗｅｂページを消去すれば、スポンサーが以前の情報を流用することはできなくなる。
【００７９】
以上のように本実施の形態によれば、ユーザ情報がプロバイダの外に漏れることなく、アンケート結果のみを得たり、それに対して応答したりすることが可能となる。
（実施の形態８）
本発明の実施の形態８の受信システムを説明する。
【００８０】
図８は本実施の形態８の受信システムを含むオークションシステムの構成を示すブロック図である。以降、同一部分は同一符号を付している。本実施の形態のオークションシステムは、プロバイダ内に設置されたサーバ１ｇおよびテレビ放送信号を受信する受信装置３からなる受信システムと、テレビ放送信号を送信する送信局２とを含んで構成される。なお、受信装置３はインターネットを通じてサーバ１ｇに接続されている。
【００８１】
実施の形態６と同様に、ユーザは受信装置３の購入時に年齢・性別・地域などのユーザ情報をプロバイダ内のサーバ１ｇに登録することにより、プロバイダ内のサーバ１ｇは、受信装置３ごとのユーザ情報を、各受信装置３のＩＤと併せてユーザ情報登録手段６１に保持する。また、プロバイダ内のサーバ１ｇは、登録された特定のＩＤを各受信装置から受信することによって、サーバの持つ特定のＷｅｂページに遷移するよう設定する。これにより、受信装置３からのみアクセスできるオークションページを用意する。
【００８２】
ユーザは、オークションページを受信装置３上のモニタで表示し、リモコン受信部１８を通じてリモコン操作によりページ上でオークションの入札を行う。入札データは、ユーザからの入札操作に応じて、プロバイダ内のサーバ１ｇのサーバ側で順次更新する。オークションの場合では、現時点での最高額と入札予定者を表示する。
【００８３】
逆オークションの場合には、提示された商品に対し注文する人が増えたら、注文者人数に応じて当初の提示値段を下げるように設定しておく。また、提示された商品が数量限定の場合には、その残り数なども提示する。
【００８４】
以上のように本実施の形態によれば、オークションの情報はプロバイダ内のサーバのみが持ち、プライバシーを保護しつつ、詐欺対策を同時に満たすことができる。
【００８５】
【発明の効果】
以上のように本発明によれば、受信装置がサーバからコンテンツを得るためにインターネットを通じてサーバに伝達された当該受信装置に固有の受信装置特定情報を、サーバにより受け取り判定し、その判定結果に基づいて、サーバが、判定した受信装置特定情報を有する受信装置からのアクセスと他のＰＣからのアクセスとを区別することにより、アクセスしてきた受信装置を特定し、その受信装置に対する専用コンテンツの配信を可能にすることができる。
【００８６】
そのため、インターネットを通じてサーバに接続された受信装置およびＰＣのうち、サーバが特定した受信装置に対してのみ専用コンテンツを配信することができ、特定した受信装置に対して、容易にかつ正確に、しかも安全にアクセス情報を管理することができる。
【００８７】
また、放送波中の情報を利用してサーバと受信装置との間で対象番組を受信・視聴中であることを確認して、特定のコンテンツを配信するか、あるいは放送を現在受けている正規な受信装置のみがアクセスするようにして、その受信装置に対してのみコンテンツを配信することができる。
【００８８】
そのため、番組を視聴している端末ユーザのみが、特定のコンテンツを楽しめるという安全性が確保できるシステムを実現することができる。
また、受信装置が、視聴履歴を記憶してサーバに伝えたり、番組を受信している際に、受信装置からサーバに現在受信中であることを伝えたりすることができる。
【００８９】
そのため、番組放送の後日、対象番組を受信していた端末に対してのみ、特定のコンテンツを配信するというシステムを実現することができる。
【図面の簡単な説明】
【図１】本発明の実施の形態１の受信システムの構成を示すブロック図
【図２】本発明の実施の形態２の受信システムの構成を示すブロック図
【図３】本発明の実施の形態３の受信システムの構成を示すブロック図
【図４】本発明の実施の形態４の受信システムの構成を示すブロック図
【図５】本発明の実施の形態５の受信システムの構成を示すブロック図
【図６】本発明の実施の形態６の受信システムの構成を示すブロック図
【図７】本発明の実施の形態７の受信システムの構成を示すブロック図
【図８】本発明の実施の形態８の受信システムの構成を示すブロック図
【符号の説明】
１、１ａ、１ｂ、１ｃ、１ｄ、１ｅ、１ｆ、１ｇ    サーバ
２、２ａ、２ｂ、２ｃ、２ｄ    送信局
３、３ａ、３ｂ、３ｃ、３ｄ、３ｆ    受信装置
４    ブラウザ
５    受信復調部
６    デマルチプレクサ
７    音声デコーダ
８    映像デコーダ
９    ＥＰＧ画面合成部
１０    情報テーブル抽出部
１１    受信装置特定情報獲得部（ＩＤ保持部）
１２    表示画面合成部
１３、１３ａ、１３ｂ、１３ｃ、１３ｄ    コントローラ
１４、１５    インターネットインターフェース（ＩＦ）
１６、１６ｂ、１６ｃ、１６ｄ    条件判定手段
１７、６３    蓄積手段
１８    リモコン受信部
３１、３２    番組特定情報獲得手段
４１、４１ｄ    受信装置記憶確認手段
４２、４２ｄ    受信履歴記憶手段
６１    ユーザ情報登録手段
６２    ユーザ条件判定手段
７１    結果集計手段
【図１】
2004179699.tif 000003
【図２】
2004179699.tif 000004
【図３】
2004179699.tif 000005
【図４】
2004179699.tif 000006
【図５】
2004179699.tif 000007
【図６】
2004179699.tif 000008
【図７】
2004179699.tif 000009
【図８】
2004179699.tif 000010